(57)【要約】【課題】外力による応力を抑制できる灯具支持アームを提供する。【解決手段】灯具１００を支持する灯具支持アーム２００であって、底板部２１０と、底板部２１０の両端部から延設され、かつ、底板部２１０の主面に対して傾斜する主面を有する一対の傾斜板部２２０と、各々が一対の傾斜板部２２０の各々から延設され、かつ、灯具１００に接続される一対の接続部２３０とを備え、底板部２１０には、当該底板部２１０の主面から突出するリブ２１１が設けられており、リブ２１１は、一対の傾斜板部２２０の並び方向に垂直な方向に交差する方向に延在している。【選択図】図１
2015170532.tif 000002
【特許請求の範囲】
【請求項１】
灯具を支持する灯具支持アームであって、
底板部と、
前記底板部の両端部から延設され、かつ、前記底板部の主面に対して傾斜する主面を有する一対の傾斜板部と、
各々が前記一対の傾斜板部の各々から延設され、かつ、前記灯具に接続される一対の接続部とを備え、
前記底板部には、当該底板部の主面から突出するリブが設けられており、
前記リブは、前記一対の傾斜板部の並び方向に垂直な方向に交差する方向に延在している
灯具支持アーム。
【請求項２】
前記リブは、前記一対の傾斜板部の並び方向に平行な方向に延在している
請求項１に記載の灯具支持アーム。
【請求項３】
前記リブは、前記底板部の前記両端部の一方端から他方端にわたって延在している
請求項１又は２に記載の灯具支持アーム。
【請求項４】
前記リブの高さは、前記底板部の厚みの２倍以上である
請求項１〜３のいずれか１項に記載の灯具支持アーム。
【請求項５】
前記底板部には、当該底板部を前記所定の設置箇所に固定するための第１締結部材が挿入される円弧状の第１貫通孔が設けられている
請求項１〜４のいずれか１項に記載の灯具支持アーム。
【請求項６】
前記底板部には、当該底板部を前記所定の設置箇所に固定するための第２締結部材が挿入される第２貫通孔が設けられている
請求項５に記載の灯具支持アーム。
【請求項７】
さらに、前記底板部を支持する台座部を有し、
前記台座部には、当該台座部を前記所定の設置箇所に固定するための第１締結部材が挿入される円弧状の第１貫通孔が設けられている
請求項１〜４のいずれか１項に記載の灯具支持アーム。
【請求項８】
前記台座部には、当該台座部を前記所定の設置箇所に固定するための第２締結部材が挿入される第２貫通孔が設けられている
請求項７に記載の灯具支持アーム。
【請求項９】
請求項１〜８のいずれか１項に記載の灯具支持アームと、
前記灯具支持アームに支持された灯具とを備える、
投光器。
【請求項１０】
請求項９に記載の投光器と、
前記投光器が設置される設置箇所を有する構造体とを備える
投光装置。
【発明の詳細な説明】
【技術分野】
【０００１】
本発明は、灯具支持アーム及びこれを備えた投光器、並びに、投光器を備えた投光装置に関する。
【背景技術】
【０００２】
投光器は、例えば、ランプが装着された灯具と、当該灯具を支持するアーム（灯具支持アーム）とを備える。投光器の中には、光照射方向を変更可能とするために、灯具の姿勢角度を調整できるように構成されたものがある。この種の投光器として、例えば特許文献１には、灯具が回動支軸を介してアームに取り付けられたものが開示されている。
【０００３】
投光器は、例えば屋外の構造物等に設置される。この場合、アームの底部と設置箇所とをボルト等によって固定することで投光器を構造物に設置する。
【先行技術文献】
【特許文献】
【０００４】
【特許文献１】特開平１１−１１１０２０号公報
【発明の概要】
【発明が解決しようとする課題】
【０００５】
構造物等に固定された状態で投光器に外力（荷重負荷）がかかると、アームに応力が発生してアームに歪みが発生する。この場合、アームに大きな外力が加わってアームの一部に応力が集中して、アームが変形してしまうことがある。
【０００６】
本発明は、このような課題に鑑みてなされたものであり、外力による応力集中を抑制できる灯具支持アーム及び投光器を提供することを目的とする。
【課題を解決するための手段】
【０００７】
上記目的を達成するために、本発明に係る灯具支持アームの一態様は、灯具を支持する灯具支持アームであって、底板部と、前記底板部の両端部から延設され、かつ、前記底板部の主面に対して傾斜する主面を有する一対の傾斜板部と、各々が前記一対の傾斜板部の各々から延設され、かつ、前記灯具に接続される一対の接続部とを備え、前記底板部には、当該底板部の主面から突出するリブが設けられており、前記リブは、前記一対の傾斜板部の並び方向に垂直な方向に交差する方向に延在していることを特徴とする。
【０００８】
また、本発明に係る灯具支持アームの一態様において、前記リブは、前記一対の傾斜板部の並び方向に平行な方向に延在していてもよい。
【０００９】
また、本発明に係る灯具支持アームの一態様において、前記リブは、前記底板部の前記両端部の一方端から他方端にわたって延在していてもよい。
【００１０】
また、本発明に係る灯具支持アームの一態様において、前記リブの高さは、前記底板部の厚みの２倍以上であるとよい。
【００１１】
また、本発明に係る灯具支持アームの一態様において、前記底板部には、当該底板部を前記所定の設置箇所に固定するための第１締結部材が挿入される円弧状の第１貫通孔が設けられていてもよい。
【００１２】
さらに、本発明に係る灯具支持アームの一態様において、前記底板部には、当該底板部を前記所定の設置箇所に固定するための第２締結部材が挿入される第２貫通孔が設けられていてもよい。
【００１３】
また、本発明に係る灯具支持アームの一態様において、さらに、前記底板部を支持する台座部を有し、前記台座部には、当該台座部を前記所定の設置箇所に固定するための第１締結部材が挿入される円弧状の第１貫通孔が設けられていてもよい。
【００１４】
さらに、本発明に係る灯具支持アームの一態様において、前記台座部には、当該台座部を前記所定の設置箇所に固定するための第２締結部材が挿入される第２貫通孔が設けられていてもよい。
【００１５】
また、本発明に係る投光器の一態様は、上記いずれかに記載の灯具支持アームの一態様と、前記灯具支持アームに支持された灯具とを備えることを特徴とする。
【００１６】
また、本発明に係る投光装置の一態様は、上記投光器の一態様と、前記投光器が設置される設置箇所を有する構造体とを備えることを特徴とする。
【発明の効果】
【００１７】
本発明によれば、外力による応力集中を抑制することができる。
【図面の簡単な説明】
【００１８】
【図１】本発明の実施の形態１に係る投光器の外観斜視図である。
【図２】本発明の実施の形態１に係る灯具支持アームの外観斜視図である。
【図３】本発明の実施の形態１に係る投光装置の外観斜視図である。
【図４Ａ】比較例１の投光器の外観斜視図である。
【図４Ｂ】比較例１の投光器の正面図である。
【図５】比較例２の投光器の正面図である。
【図６】本発明の実施の形態１の変形例に係る灯具支持アームの外観斜視図である。
【図７】本発明の実施の形態２に係る灯具支持アームの外観斜視図である。
【発明を実施するための形態】
【００１９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態、工程（ステップ）、工程の順序等は、一例であって本発明を限定する主旨ではない。よって、以下の実施の形態における構成要素のうち、本発明の最上位概念を示す独立請求項に記載されていない構成要素については、任意の構成要素として説明される。
【００２０】
なお、各図は、模式図であり、必ずしも厳密に図示されたものではない。また、各図において、実質的に同一の構成に対しては同一の符号を付しており、重複する説明は省略又は簡略化する。
【００２１】
また、各図面において、Ｘ軸、Ｙ軸及びＺ軸は互いに直交し、本実施の形態では、Ｚ軸方向を鉛直方向としている。
【００２２】
（実施の形態１）
本発明の実施の形態１に係る投光器１及び灯具支持アーム２００について、図１及び図２を用いて説明する。図１は、本発明の実施の形態１に係る投光器の外観斜視図である。また、図２は、本発明の実施の形態１に係る灯具支持アームの外観斜視図であり、図１に示す投光器における灯具支持アームを示している。
【００２３】
図１に示すように、本実施の形態における投光器１は、灯具１００と、灯具支持アーム２００とを備える。
【００２４】
灯具１００は、灯具本体１１０と、灯具本体１１０に固定された一対の支持板１２０とを有する。灯具１００は、灯具支持アーム２００によって支持されている。
【００２５】
灯具本体１１０は、ランプ１１１と、ランプ１１１の光を反射して開口面から出射させる略漏斗状の反射板を有する筐体１１２とを有する。ランプ１１１は、筐体１１２内に設けられたソケットに装着される。
【００２６】
ランプ１１１としては、例えば、ＨＩＤ（Ｈｉｇｈ  Ｉｎｔｅｎｓｉｔｙ  Ｄｉｓｃｈａｒｇｅ  Ｌａｍｐ）ランプ、蛍光ランプ又はフィラメントランプ等の既存ランプ、又は、これらの既存ランプに代替するＬＥＤランプを用いることができる。
【００２７】
支持板１２０は、例えばネジ１３０によって灯具本体１１０の一部と固定される。また、支持板１２０は、ボルト３００によって灯具支持アーム２００に固定されている。これにより、灯具１００が灯具支持アーム２００に支持される。つまり、灯具本体１１０は、支持板１２０を介して灯具支持アーム２００に支持されている。
【００２８】
本実施の形態では、上下方向の光照射方向を変更可能とするために、灯具１００の角度姿勢を調整できるように構成されている。具体的には、灯具１００は、灯具支持アーム２００に回転支軸回りに回動自在となるようにボルト３００によって軸支されている。ボルト３００を緩めることで灯具１００は灯具支持アーム２００に対して回動可能状態となり、ボルト３００を締め付けることで灯具１００は灯具支持アーム２００に対して回動不可能状態となって締め付け固定される。
【００２９】
灯具支持アーム２００は、灯具１００を支持する支持体であって、図２に示すように、底板部２１０と、底板部２１０の両端部から延設された一対の傾斜板部２２０と、一対の傾斜板部２２０の各々の端部から延設された一対の接続部２３０とを備える。
【００３０】
底板部２１０は、灯具支持アーム２００の底部を構成し、例えば、ステンレス鋼（ＳＵＳ）又は亜鉛めっき鋼板等からなる矩形板状の金属板である。
【００３１】
そして、底板部２１０には、当該底板部２１０の主面から突出するリブ２１１が設けられている。本実施の形態において、リブ２１１は、ステンレス鋼又は亜鉛めっき鋼板等からなる金属板であり、底板部２１０の端部に接合されている。なお、本実施の形態では、リブ２１１と底板部２１０との２つの金属板を溶接することでリブ２１１を底板部２１０に接合したが、１つの金属板を折り曲げ加工することによって底板部２１０とリブ２１１とを形成してもよい。
【００３２】
リブ２１１は、補強部材（補強リブ）であり、一対の傾斜板部２２０の並び方向（Ｙ軸方向）に垂直な方向（Ｘ軸方向）に交差する方向に延在している。本実施の形態におけるリブ２１１は、一対の傾斜板部２２０の並び方向に平行な方向（Ｙ軸方向）に沿って、底板部２１０のＹ軸方向の両端部の一方端から他方端にわたって延在している。具体的には、リブ２１１の幅は、矩形状の底板部２１０の一辺の長さとほぼ同じである。
【００３３】
本実施の形態において、底板部２１０は、投光器１（灯具支持アーム２００）を所定の設置箇所（構造物の設置面）に取り付けるための取付板である。したがって、底板部２１０には、固定用の貫通孔が設けられている。具体的には、底板部２１０には、第１貫通孔２１２ａと第２貫通孔２１２ｂとが設けられている。
【００３４】
第１貫通孔２１２ａにボルト（第１締結部材）を挿入して締め付けることによって投光器１（灯具支持アーム２００）を所定の設置箇所に固定することができる。さらに、第１貫通孔２１２ａは、投光器１の設置箇所の設置面に対して投光器１を水平方向に回転できるように構成されている。具体的には、第１貫通孔２１２ａは、半円弧状又は略Ｕ字状の長孔（切り欠き）となっている。これにより、第１貫通孔２１２ａに挿入したボルトを緩めて底板部２１０を第１貫通孔２１２ａに沿って回転させることで投光器１を水平方向に回転させることができ、投光器１の左右の光照射方向を変更することができる。このように、本実施の形態において、底板部２１０は、灯具１００を水平方向に回転させるための回転板（回転台）としても機能する。
【００３５】
第２貫通孔２１２ｂは、固定専用の円形状の貫通孔である。第２貫通孔２１２ｂにボルト（第２締結部材）を挿入して締め付けることによって投光器１（灯具支持アーム２００）を所定の設置箇所に固定することができる。
【００３６】
一対の傾斜板部２２０の各々は、ステンレス鋼又は亜鉛めっき鋼板等からなる矩形板状の金属板であり、底板部２１０の主面に対して傾斜する主面を有する。つまり、一対の傾斜板部２２０の各々は、投光器１が設置される設置面から起き上がるように構成されている。また、本実施の形態において、一対の傾斜板部２２０の各々は、底板部２１０のＹ軸方向の両端縁の各々から延設されている。
【００３７】
一対の接続部（接続板部）２３０の各々は、ステンレス鋼又は亜鉛めっき鋼板等からなる矩形板状の金属板であり、一対の傾斜板部２２０の各々から延設されている。各接続部２３０は、灯具１００に接続される。つまり、接続部２３０は、灯具支持アーム２００における灯具１００との接続箇所であり、この接続箇所には貫通孔２３１が設けられている。図１に示すように、接続部２３０と灯具１００の支持板１２０とを固定する際、貫通孔２３１にはボルト３００が挿通される。なお、一対の接続部２３０は、板状部材でなくてもよい。
【００３８】
本実施の形態において、底板部２１０と傾斜板部２２０と接続部２３０とは、一体成形されている。この場合、底板部２１０と傾斜板部２２０と接続部２３０とは、所定形状にカットされた一枚の金属板を折り曲げ加工することによって構成されていてもよいし、複数の金属板を溶接等よって互いに接合することによって構成されていてもよい。
【００３９】
また、底板部２１０、傾斜板部２２０及び接続部２３０の各板厚は、９ｍｍ以上であることが好ましい。
【００４０】
次に、本実施の形態に係る投光装置２について、図３を用いて説明する。図３は、本発明の実施の形態１に係る投光装置の外観斜視図である。
【００４１】
図３に示すように、本実施の形態に係る投光装置２は、投光器１と、投光器１が設置される設置箇所を有する構造物４００とを備える。構造物４００は、例えば、投光器１を設置するための金属製やコンクリート製の設置台、又は、建物や橋、船、塔等の建造物等である。
【００４２】
投光器１は、構造物４００の設置面４００ａに固定されている。具体的には、設置面４００ａに灯具支持アーム２００の底板部２１０を載置することで投光器１を構造物４００に設置して、底板部２１０の第１貫通孔２１２ａと設置面４００ａの貫通孔（不図示）とにボルト５１０（第１締結部材）を挿通させるとともに、底板部２１０の第２貫通孔２１２ｂ（図２参照）と設置面４００ａの貫通孔（不図示）とにボルト５２０（第２締結部材）を挿通させて、底板部２１０と構造物４００とをボルト５１０及び５２０によって締め付け固定する。
【００４３】
投光器１（灯具１００）の光照射方向を上下方向に変更させる場合は、ボルト３００を緩めて灯具１００を上下方向に回動させればよい。また、投光器１（灯具１００）の光照射方向を左右方向（設置面４００ａの水平方向）に変更させる場合は、第１貫通孔２１２ａに挿入したボルト５１０を緩めて灯具支持アーム２００及び灯具１００を水平方向に回動させればよい。
【００４４】
次に、本実施の形態に係る投光器１及び灯具支持アーム２００の作用効果について、比較例の投光器と比較しながら、図４Ａ、図４Ｂ及び図５を用いて説明する。図４Ａは、比較例１の投光器の外観斜視図であり、図４Ｂは、同投光器の正面図である。図５は、比較例２の投光器の正面図である。
【００４５】
図４Ａ及び図４Ｂに示すように、比較例１の投光器１０００は、実施の形態１の投光器１において、リブ２１１が設けられていない構成となっている。具体的に、比較例１の投光器１０００は、灯具１１００と、灯具１１００を支持する灯具支持アーム１２００とを備えている。また、灯具支持アーム１２００は、実施の形態１の灯具支持アーム２００と同様に、底板部２１０と、一対の傾斜板部２２０と、一対の接続部２３０とを備えている。
【００４６】
投光器１０００は、実施の形態１の投光器１と同様に、例えば、構造物４００の設置面４００ａに設置され、ボルト５１０及び５２０によって構造物４００に固定される。
【００４７】
このように構成された投光器１０００に対して外力（負荷）がかかると、灯具支持アーム１２００に応力が発生して灯具支持アーム１２００に歪みが発生する。この場合、一度に大きな外力が加わると、灯具支持アーム１２００の一部に応力が集中して局所的に大きな歪が発生し、灯具支持アーム１２００が変形してしまうことがある。また、外力が繰り返し加わった結果、灯具支持アーム１２００の一部に集中して応力が発生し、灯具支持アーム１２００が変形してしまうこともある。
【００４８】
例えば、屋外に設置された投光器１０００が突風を受けた場合や台風や強風にさらされた場合、風力によって灯具支持アーム１２００が変形する場合がある。特に、海上や海岸付近では強風が発生し、灯具支持アーム１２００が変形するおそれがある。
【００４９】
このときに発生する応力について本願発明者が鋭意検討した結果、灯具支持アーム１２００の一対の傾斜板部２２０（図４Ａ及び図４Ｂの破線Ａで囲まれる部分）に圧縮応力が集中的に発生し、傾斜板部２２０が変形することが分かった。
【００５０】
より具体的には、一定の外力をＸ軸方向から投光器１０００に加えたシミュレーション実験を行ったところ、傾斜板部２２０に応力が集中的に発生し、許容応力を越えてしまうことが判明した。また、同じ一定の外力をＹ軸方向から投光器１０００に加えた場合についても同様に、傾斜板部２２０に応力が集中的に発生し、許容応力を越えてしまうことが判明した。
【００５１】
しかも、図５に示す比較例２の投光器１００１のように、傾斜板部２２０と接続部２３０とに懸架するように補強板２４０（補強部材）を設けて灯具支持アーム１２００を補強して上記同様のシミュレーション実験を行った場合でも、傾斜板部２２０に応力が集中的に発生し、許容応力を越えてしまうことも判明した。つまり、補強板２４０を設けただけでは、傾斜板部２２０に発生する応力集中を十分に緩和できないことが分かった。
【００５２】
そこで、本願発明者らが試行錯誤した結果、底板部２１０にリブ２１１を設けることによって、傾斜板部２２０における応力集中を緩和できることをつき止めた。
【００５３】
具体的には、図１〜図３に示される灯具支持アーム２００を備える投光器１についても比較例１におけるシミュレーション実験と同様の実験を行ったところ、本実施の形態における投光器１については、一定の外力をＸ軸方向から加えた場合、傾斜板部２２０に応力の集中が発生しないことが確認できた。また、同じ一定の外力をＹ軸方向から投光器１に加えた場合についても、傾斜板部２２０に応力の集中が発生しないことが確認できた。
【００５４】
なお、上記シミュレーション実験では、底板部２１０、傾斜板部２２０及び接続部２３０の板厚を９ｍｍとし、底板部２１０の横幅（Ｙ軸方向の長さ）を２５０ｍｍとし、リブ２１１の高さ（底板部２１０からの立ち上がり）を２５ｍｍとし、リブ２１１の幅を２５０ｍｍとした。
【００５５】
このように、本実施の形態における投光器１によれば、外力が加わった場合に灯具支持アーム２００全体に均等に応力が発生し、傾斜板部２２０における応力集中が緩和できることが分かった。つまり、底板部２１０にリブ２１１が設けられた灯具支持アーム２００を用いることで、外力による応力を分散できることが分かった。
【００５６】
以上、本実施の形態によれば、灯具支持アーム２００の底板部２１０にリブ２１１が設けられているので、灯具支持アーム２００に外力が加わったとしても当該外力による応力集中を抑制することができる。したがって、灯具支持アーム２００が変形することを抑制することができる。
【００５７】
また、本実施の形態において、リブ２１１の高さ（底板部２１０からの立ち上がり）は、底板部２１０の厚みの２倍以上であることが好ましい。このように構成することで、傾斜板部２２０の応力集中を効果的に緩和することができる。
【００５８】
また、リブ２１１の幅は、底板部２１０における第１貫通孔２１２ａの開口幅の１．３９倍以上であることが好ましい。このように構成することで、角部における集中荷重の発生を回避することができる。例えば、底板部２１０の幅（Ｙ軸方向の幅）を１．３９倍よりも小さい１５０ｍｍに設定すると、第１貫通孔２１２ａを設けることによって底板部２１０の機械的強度が低くなり、角部（図４Ａの破線Ｂで囲まれる部分）に許容応力を越える集中応力が生じるが、１．３９倍以上とすることで、この集中応力を緩和することができる。
【００５９】
また、図６に示すような灯具支持アーム２０１であっても、上記灯具支持アーム２００と同様の作用効果が得られる。図６は、本発明の実施の形態１の変形例に係る灯具支持アームの外観斜視図である。
【００６０】
図６に示すように、本変形例における灯具支持アーム２０１は、実施の形態１における灯具支持アーム２００に補強板２４０が設けられたものである。補強板２４０は、例えばステンレス鋼又は亜鉛めっき鋼板等からなる金属板であり、傾斜板部２２０と接続部２３０とに懸架するように設けられている。
【００６１】
以上、本変形例における灯具支持アーム２０１によれば、補強板２４０によって灯具支持アーム２０１を補強することができるので、外力による応力集中を一層抑制することができる。
【００６２】
（実施の形態２）
次に、本発明の実施の形態２に係る灯具支持アーム２０２について、図７を用いて説明する。図７は、本発明の実施の形態２に係る灯具支持アームの外観斜視図である。
【００６３】
図７に示すように、本実施の形態における灯具支持アーム２０２は、上記実施の形態１における灯具支持アーム２００に対して、さらに台座部２５０が設けられた構成となっている。
【００６４】
台座部２５０は、底板部２１０を支持する支持部材であるとともに、灯具支持アーム２０１を構造物の設置面に取り付けるための取付部材である。図７に示すように、本実施の形態における台座部２５０は、構造物の設置面に載置される取付板（底板部）２５１と、取付板２５１の両端部に接続され、かつ、取付板２５１に立設する一対の壁板部２５２とを有する。
【００６５】
一対の壁板部２５２の上端縁には底板部２１０が載置される。本実施の形態において、壁板部２５２の上端縁は、取付板２５１の主面に対して傾斜している。これにより、一対の壁板部２５２に載置された底板部２１０は取付板２５１に対して傾斜することとなり、灯具１００を傾けることができる。各壁板部２５２の形状は、例えば台形である。
【００６６】
また、一対の壁板部２５２の各々は、ステンレス鋼又は亜鉛めっき鋼板等からなる矩形板状の金属板である。
【００６７】
また、台座部２５０を構造物の設置面に取り付けるために、取付板２５１には第１貫通孔２５３ａ及び第２貫通孔２５３ｂが設けられている。したがって、第１貫通孔２５３ａ及び第２貫通孔２５３ｂには、ボルト等の締結部材が挿入される。
【００６８】
第１貫通孔２５３ａは、実施の形態１における第１貫通孔２５３ａと同じであり、投光器１の設置箇所の設置面に対して投光器１を水平方向に回転できるように構成されている。具体的には、第１貫通孔２５３ａは、第１貫通孔２１２ａは、半円弧状又は略Ｕ字状の長孔である。第１貫通孔２５３ａにボルト（第１締結部材）を挿入して締め付けることによって灯具支持アーム２０１を所定の設置箇所に固定することができる。また、第１貫通孔２１２ａに挿入したボルトを緩めることで投光器１を水平方向に回転させることができる。このように、本実施の形態では、実施の形態１と異なり、底板部２１０ではなく、台座部２５０が灯具１００を水平方向に回転させるための回転台として機能する。
【００６９】
第２貫通孔２５３ｂは、実施の形態１における第２貫通孔２１２ｂと同じであり、固定専用の円形状の貫通孔である。この第２貫通孔２５３ｂにボルト（第２締結部材）を挿入して締め付けることによって灯具支持アーム２０２を所定の設置箇所に固定することができる。
【００７０】
本実施の形態における灯具支持アーム２０２の寸法の一例として、底板部２１０、傾斜板部２２０及び接続部２３０の板厚が９ｍｍであり、底板部の横幅（Ｙ軸方向の長さ）が２５０ｍｍであり、リブ２１１は、高さが２５ｍｍで、幅が２５０ｍｍである。
【００７１】
以上、本実施の形態に係る灯具支持アーム２０２によれば、実施の形態１と同様に、底板部２１０にリブ２１１が設けられているので、灯具支持アーム２０２に外力が加わったとしても当該外力による応力集中を抑制することができる。したがって、灯具支持アーム２０１が変形することを抑制することができる。
【００７２】
また、本実施の形態でも、リブ２１１の高さは、底板部２１０の厚みの２倍以上であることが好ましい。
【００７３】
（その他変形例等）
以上、本発明に係る、灯具支持アーム、投光器及び投光装置について、実施の形態に基づいて説明したが、本発明は、上記の各実施の形態に限定されるものではない。
【００７４】
例えば、上記の各実施の形態において、底板部２１０は、表面が平面のみからなる板状部材としたが、表面（平面）の一部に凹凸等が形成された板状部材としてもよい。また、底板部２１０の平面視形状（外形）は、矩形に限らず、六角形等の他の多角形又は円形等、その他の形状であってもよい。
【００７５】
また、上記の各実施の形態において、リブ２１１は、底板部２１０の端縁に設けたが、これに限らない。例えば、リブ２１１は、底板部２１０の端縁から内側に入った部分の表面に設けられていてもよい。但し、リブ２１１は、上記実施の形態のように、底板部２１０の端縁に設ける方がよい。
【００７６】
また、上記の各実施の形態において、リブ２１１は、平面視において１本の直線状に設けられているが、これに限らない。例えば、平面視において「く」の字や「ヘ」の字のように途中で折れ曲がった形状のリブ２１１を底板部２１０の表面に設けてもよい。但し、リブ２１１は、上記実施の形態のように、一対の傾斜板部２２０の並び方向に平行な方向に直線状に延在させる方がよい。
【００７７】
また、リブ２１１は、複数部材によって構成されていてもよい。例えば、直線状に配列された複数の突出板を底板部２１０の端縁や表面に設けたもの（つまり、複数の突出板を断続的に設けたもの）をリブ２１１としてもよいし、直線状以外に配列された複数の突出板を底板部２１０の表面に設けたものをリブ２１１としてもよい。但し、リブ２１１は、上記実施の形態のように、底板部２１０の両端部の一方端から他方端にわたって途切れることなく連続的に延在させる方がよい。
【００７８】
また、上記の各実施の形態において、底板部又は取付板には第１貫通孔及び第２貫通孔の２つの貫通孔を設けたが、第１貫通孔及び第２貫通孔のいずれか一方のみを設けてもよい。但し、第１貫通孔及び第２貫通孔の両方とも設けた方が、投光器（灯具支持アーム）を安定して設置面に設置させることができるとともに、底板部及びボルトへの局所的な応力集中を緩和できるので灯具支持アームの変形を防止することができる。
【００７９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８０】
１  投光器
２  投光装置
１００  灯具
２００  灯具支持アーム
２１０  底板部
２１１  リブ
２１２ａ  第１貫通孔
２１２ｂ  第２貫通孔
２２０  傾斜板部
２３０  接続部
２５０  台座部
５１０  ボルト（第１締結部材）
５２０  ボルト（第２締結部材）
４００  構造物
【図１】
2015170532.tif 000003
【図２】
2015170532.tif 000004
【図３】
2015170532.tif 000005
【図４Ａ】
2015170532.tif 000006
【図４Ｂ】
2015170532.tif 000007
【図５】
2015170532.tif 000008
【図６】
2015170532.tif 000009
【図７】
2015170532.tif 000010